(57)【要約】【課題】  途中再生開始不可能の再生対象ファイルの再生時に、ユーザからの早送り又は早戻し指示に適切に対処する。【解決手段】  再生手段１１は、再生対象ファイルを再生する。早送り又は早戻し実行手段１２は、現在再生中の再生対象ファイルに対して早送り又は早戻しを実行する。指示検出手段１３は、再生手段１１による再生対象ファイルの再生中、ユーザからの早送り又は早戻しの指示を検出する。途中再生開始可能判定手段１４は、再生手段１１において現在再生中の再生対象ファイルが途中再生開始可能なものであるか否かの途中再生開始可能判定を行なう。無効時制御手段１６は、途中再生開始可能判定が否であれば、ユーザからの早送り又は早戻しの指示を無効なものとして再生手段１１による再生対象ファイルの再生を継続する。【選択図】      図３
2006185520.tif 000002
【特許請求の範囲】
【請求項１】
再生対象ファイルを再生する再生手段、
現在再生中の再生対象ファイルに対して早送り又は早戻しを実行する早送り又は早戻し実行手段、
前記再生手段による再生対象ファイルの再生中、ユーザからの早送り又は早戻しの指示を検出する指示検出手段、
前記再生手段において現在再生中の再生対象ファイルが途中再生開始可能なものであるか否かの途中再生開始可能判定を行なう途中再生開始可能判定手段、
前記途中再生開始可能判定が正であればユーザからの早送り又は早戻しの指示を有効なものとして前記早送り又は早戻し実行手段を作動させる有効時制御手段、及び
前記途中再生開始可能判定が否であればユーザからの早送り又は早戻しの指示を無効なものとして前記再生手段による再生対象ファイルの再生を継続する無効時制御手段、
を有していることを特徴とする再生装置。
【請求項２】
現在再生中の再生対象ファイルに対して前記早送り又は早戻し実行手段の処理とは別の特定処理を実行する特定処理実行手段、
ユーザからの早送り又は早戻しの指示の継続時間が所定値以上となったか否かの指示継続判定を行なう指示継続判定手段、及び
ユーザからの早送り又は早戻しの指示を無効なものとした後、前記指示継続判定が正となれば、前記特定処理実行手段を作動させる前記無効時制御手段、
を有していることを特徴とする請求項１記載の再生装置。
【請求項３】
ユーザからの早送り又は早戻しの指示を検出する指示検出手段、
ユーザからの早送り又は早戻しの指示に基づき途中再生開始可能なファイルに対して早送り又は早戻しを実行する早送り又は早戻し実行手段、
前記早送り又は早戻し実行手段による早送り又は早戻しの実行中、早送り又は早戻しを実行するファイルが切替わると切替わり後のファイルが途中再生開始可能なものであるかの途中再生開始可能判定を行なう途中再生開始可能判定手段、
途中再生開始可能判定が正であれば、ユーザからの早送り又は早戻しの指示を有効なものとして、切替わり後のファイルに対して前記早送り又は早戻し実行手段による早送り又は早戻しを継続させる有効時制御手段、及び
途中再生開始可能判定が否であれば、ユーザからの早送り又は早戻しの指示を無効なものとして、切替わり後の再生対象ファイルに対して早送り又は早戻し処理とは異なる特定の処理を行なう無効時処理手段、
を有していることを特徴とする再生装置。
【請求項４】
前記特定の処理として切替わり後のファイルの先頭位置で再生一時休止状態を維持する前記無効時処理手段、
を有していることを特徴とする請求項３記載の再生装置。
【請求項５】
切替わり後のファイルの先頭位置で再生一時休止状態を維持しているときに、ユーザからの早送り又は早戻しの指示が解除されると、該ファイルを先頭位置から再生開始する前記無効時処理手段、
を有していることを特徴とする請求項４記載の再生装置。
【請求項６】
途中再生開始不可能ファイルの先頭位置で早送り又は早戻しを停止開始した時刻からの経過時間が所定値以上であるか否かの経過時間判定を行なう経過時間判定手段、及び
前記経過時間判定が正となった時にユーザからの早送り又は早戻しの指示がなお継続しているならば、前記ファイルに対して前記特定処理とはさらに別の特定処理を行なう前記無効時処理手段、
を有していることを特徴とする請求４項記載の再生装置。
【請求項７】
前記経過時間判定が否であるときに、ユーザからの早送り又は早戻しの指示が解除されると、前記ファイルをその先頭から再生開始する前記無効時処理手段、
を有していることを特徴とする請求項６記載の再生装置。
【請求項８】
前記特定処理として前記ファイルの先頭から再生する前記無効時処理手段、
を有していることを特徴とする請求項３記載の再生装置。
【請求項９】
途中再生開始可能判定が否となっていることをユーザに通知する通知手段、
を有していることを特徴とする請求項１〜８のいずれかに記載の再生装置。
【請求項１０】
再生対象ファイルの再生中、ユーザからの早送り又は早戻しの指示を検出する指示検出ステップ、
現在再生中の再生対象ファイルが途中再生開始可能なものであるか否かの途中再生開始可能判定を行なう途中再生開始可能判定ステップ、
前記途中再生開始可能判定が正であればユーザからの早送り又は早戻しの指示を有効なものとして、現在再生中の再生対象ファイルに対して早送り又は早戻しを実行する有効時制御ステップ、及び
前記途中再生開始可能判定が否であればユーザからの早送り又は早戻しの指示を無効なものとして、現在再生中の再生対象ファイルに対しての再生を継続する無効時制御ステップ、
を有していることを特徴とする再生装置用制御方法。
【請求項１１】
ユーザからの早送り又は早戻しの指示を検出する指示検出ステップ、
ユーザからの早送り又は早戻しの指示に基づき途中再生開始可能なファイルに対して早送り又は早戻しを実行する早送り又は早戻し実行ステップ、
前記早送り又は早戻し実行ステップにおける早送り又は早戻しの実行中、早送り又は早戻しを実行するファイルが切替わると切替わり後のファイルが途中再生開始可能なものであるかの途中再生開始可能判定を行なう途中再生開始可能判定ステップ、
途中再生開始可能判定が正であれば、ユーザからの早送り又は早戻しの指示を有効なものとして、切替わり後のファイルに対して前記早送り又は早戻し実行ステップにおける早送り又は早戻しを継続させる有効時制御ステップ、及び
途中再生開始可能判定が否であれば、ユーザからの早送り又は早戻しの指示を無効なものとして、切替わり後の再生対象ファイルに対して早送り又は早戻し処理とは異なる特定の処理を行なう無効時処理ステップ、
を有していることを特徴とする再生装置用制御方法。
【請求項１２】
請求項１〜９のいずれかに記載の再生装置の各手段としてコンピュータを機能させるためのプログラム。
【発明の詳細な説明】
【技術分野】
【０００１】
本発明は、オーディオ及び／又はビデオ再生用ファイルを再生する再生装置、制御方法及びプログラムに係り、詳しくは早送り又は早戻しを適切に処理する再生装置、制御方法及びプログラムに関するものである。
【背景技術】
【０００２】
特許文献１は、ＡＤＩＦ（Audio Data International Format）フォーマットのＡＡＣ（Advanced Audio Coding）ファイルの早送りについて開示する。ＡＤＩＳフォーマットのフレームは、可変長さであるとともに、フレーム先頭にフレーム長に関する情報がなく、ＡＤＩＳフォーマットのファイルの早送り時では、各フレームのフレームビット情報を細分化して分析しないと、次のフレームのアドレスが分からない。フレームビット情報の細分化、分析には時間がかかるので、ＡＤＩＳフォーマットのファイルの早送り処理を短縮するために、ＡＤＩＳフォーマットのファイルを最初に再生するときに、各フレームの先頭アドレス情報をテーブルに保存し、以降、該ファイルについて、早送りを行なうときには、テーブルの先頭アドレス情報を参照することにしている。
【０００３】
特許文献２は、ミニディスクプレーヤにおけるミニディスクの早送り及び早戻しについて開示する。例えば、早送りと共に正方向トラックジャンプを共通キーで行なうようにし、早送りの場合には、該共通キーに対してユーザが長く押し続けることになるので、早送りか正方向トラックジャンプかを判別するまでの所定時間の間に、早送り用オーディオのデータの伸長処理を済ませておき、早送りと判別されるや、予め伸長しておいたデータを使って、早送り音を再生し、早送りが迅速に開始されるようにしている。
【０００４】
特許文献３は、可変長符号化動画画像データを再生する場合に、指定したタイムコード位置から迅速に再生できるうよにした再生方法を開示する。該再生方法によれば、可変長符号化動画画像データを固定長ビットレートデータとみなして、おおよその位置へジャンプを行い、その後、ジャンプ先近辺の幾つかのヘッダ情報を調査して、指定したタイムコードに一致するアドレスへジャンプするようにしている。
【０００５】
特許文献４は、シームレス形式の圧縮オーディオの早送り及び早戻しを行なうオーディオ再生装置を開示する。該オーディオ再生装置によれば、所定のジャンプセクタ数ずつジャンプして、ジャンプ先より、音出し可能な最小データ量以上の読出しセクタ数からオーディオデータを読み出し、読み出したデータについて音出ししては、また、次のジャンプ先へジャンプするという処理を繰り返している。
【特許文献１】特開２００２−４１０９５号公報
【特許文献２】特開平７−２９３５５号公報
【特許文献３】特開２０００−５０２０８号公報
【特許文献４】特開２００４−２０６８２７号公報
【発明の開示】
【発明が解決しようとする課題】
【０００６】
例えば前述のＡＡＣファイルには、シークテーブル有りのものと、シークテーブル無しのものとが存在する。シークテーブルは、ＡＡＣファイルにおいて途中再生開始を実現するための情報が書込まれており、シークテーブル無しのＡＡＣファイルについては途中再生開始が困難である。なお、途中再生開始可能とは、再生対象ファイルを先頭位置からではなく、先頭位置より後ろの位置から途中再生することが可能であることを意味する。従来の再生装置において、ユーザが、シークテーブル無しのＡＡＣファイルの再生中に、早送り又は早戻し用の操作キーを押下し、押下を解除すると、無音状態やデコードエラーが生じ、再生再開ができなくなってしまう。同様に、従来の再生装置において、ユーザが、途中再生開始の可能な再生対象ファイルに対して早送り又は早戻し開始させても、再生対象ファイルが、途中再生開始不可能の再生対象ファイルに入るや、早送り及び早戻しを解除しても、再生対象ファイルの再生再開が困難になってしまう。
【０００７】
特許文献１〜４は、このような問題に対処する技術をなんら開示していない。
【０００８】
本発明の目的は、途中再生開始不可能の再生対象ファイルが記録媒体に含まれる場合に、ユーザからの早送り又は早戻し指示に対して適切に対処できる再生装置、制御方法及びプログラムを提供することである。
【課題を解決するための手段】
【０００９】
本発明の再生装置は次の手段を有している。
再生対象ファイルを再生する再生手段、
現在再生中の再生対象ファイルに対して早送り又は早戻しを実行する早送り又は早戻し実行手段、
再生手段による再生対象ファイルの再生中、ユーザからの早送り又は早戻しの指示を検出する指示検出手段、
再生手段において現在再生中の再生対象ファイルが途中再生開始可能なものであるか否かの途中再生開始可能判定を行なう途中再生開始可能判定手段、
途中再生開始可能判定が正であればユーザからの早送り又は早戻しの指示を有効なものとして早送り又は早戻し実行手段を作動させる有効時制御手段、及び
途中再生開始可能判定が否であればユーザからの早送り又は早戻しの指示を無効なものとして再生手段による再生対象ファイルの再生を継続する無効時制御手段。
【００１０】
本発明の別の再生装置は次の手段を有している。
ユーザからの早送り又は早戻しの指示を検出する指示検出手段、
ユーザからの早送り又は早戻しの指示に基づき途中再生開始可能なファイルに対して早送り又は早戻しを実行する早送り又は早戻し実行手段、
早送り又は早戻し実行手段による早送り又は早戻しの実行中、早送り又は早戻しを実行するファイルが切替わると切替わり後のファイルが途中再生開始可能なものであるかの途中再生開始可能判定を行なう途中再生開始可能判定手段、
途中再生開始可能判定が正であれば、ユーザからの早送り又は早戻しの指示を有効なものとして、切替わり後のファイルに対して早送り又は早戻し実行手段による早送り又は早戻しを継続させる有効時制御手段、及び
途中再生開始可能判定が否であれば、ユーザからの早送り又は早戻しの指示を無効なものとして、切替わり後の再生対象ファイルに対して早送り又は早戻し処理とは異なる特定の処理を行なう無効時処理手段。
【００１１】
本発明の再生装置用制御方法は次のステップを有している。
再生対象ファイルの再生中、ユーザからの早送り又は早戻しの指示を検出する指示検出ステップ、
現在再生中の再生対象ファイルが途中再生開始可能なものであるか否かの途中再生開始可能判定を行なう途中再生開始可能判定ステップ、
途中再生開始可能判定が正であればユーザからの早送り又は早戻しの指示を有効なものとして、現在再生中の再生対象ファイルに対して早送り又は早戻しを実行する有効時制御ステップ、及び
途中再生開始可能判定が否であればユーザからの早送り又は早戻しの指示を無効なものとして、現在再生中の再生対象ファイルに対しての再生を継続する無効時制御ステップ。
【００１２】
本発明の別の再生装置用制御方法は次のステップを有している。
ユーザからの早送り又は早戻しの指示を検出する指示検出ステップ、
ユーザからの早送り又は早戻しの指示に基づき途中再生開始可能なファイルに対して早送り又は早戻しを実行する早送り又は早戻し実行ステップ、
早送り又は早戻し実行ステップにおける早送り又は早戻しの実行中、早送り又は早戻しを実行するファイルが切替わると切替わり後のファイルが途中再生開始可能なものであるかの途中再生開始可能判定を行なう途中再生開始可能判定ステップ、
途中再生開始可能判定が正であれば、ユーザからの早送り又は早戻しの指示を有効なものとして、切替わり後のファイルに対して早送り又は早戻し実行ステップにおける早送り又は早戻しを継続させる有効時制御ステップ、及び
途中再生開始可能判定が否であれば、ユーザからの早送り又は早戻しの指示を無効なものとして、切替わり後の再生対象ファイルに対して早送り又は早戻し処理とは異なる特定の処理を行なう無効時処理ステップ。
【００１３】
本発明のプログラムは、前述の各再生装置の各手段としてコンピュータを機能させる。
【発明の効果】
【００１４】
本発明によれば、ユーザからの早送り又は早戻しの指示に対して、途中再生開始不可能なファイルが、早送り又は早戻しされる場合の不具合を解消できる。
【発明を実施するための最良の形態】
【００１５】
図１は光ディスク再生装置１００の主要部概略構成図である。光ディスク１０１は、例えば、ＤＶＤ−Ｒ，ＤＶＤ−ＲＷ、ＣＤ−Ｒ又はＣＤ−ＲＷである。光ディスク１０１には、ユーザがパソコンのオーサリングソフトを使って編集したＡＡＣファイル等の各種ＡＶ（オーディオ及び／又はビデオ）ファイルが書込まれている。光ディスク１０１は、光ディスク再生装置１００においてチャッキング中は、ターンテーブル（図示せず）に載置されるとともに、上側からクランパ（図示せず）によりターンテーブルに押圧される。スピンドルモータ１０３はターンテーブルを回転駆動する。光ピックアップ１０５は、スレッドモータ１１１により光ディスク１０１の径方向へ移動自在に光ディスク１０１の下方に配設され、対物レンズ１０６及び電磁コイル１０７を有している。電磁コイル１０７は、サーボ回路早送り又は早戻し実行手段１２８からのサーボ信号に基づき対物レンズ１０６を軸方向及び光ディスク１０１のトラック幅方向へ振らし、対物レンズ１０６からのレーザ光１０８は光ディスク１０１に所定部位に照射され、光ピックアップ１０５は、光ディスク１０１からの反射光に基づきＲＦ信号を生成する。スレッドモータ１１１は、サーボ信号に基づき光ピックアップ１０５を光ディスク１０１の径方向の所望位置へ移動させる。
【００１６】
光ピックアップ１０５から出力されるＲＦ信号は、ＲＦアンプ１１６において増幅されてから、デジタル信号処理回路１１７へ入力され、デジタル信号処理回路１１７において、復調、伸長及び復号等の処理を受ける。デジタル信号処理回路１１７は、ＲＦアンプ１１６からの入力信号に基づき抽出したデジタルオーディオ信号等をＤＡＣ（デジタル−アナログ変換器）へ送り、ＤＡＣは、ＲＦアンプ１１６からのデジタルオーディオ信号をアナログオーディオ信号へ変換する。
【００１７】
システムコントローラ１２０は、ユーザにより操作される操作部１２１からユーザ指示を受付けるとともに、デジタル信号処理回路１１７から所定の情報を入力され、これらユーザ指示や入力情報に基づきデジタル信号処理回路１１７、表示部１２２及びサーボ回路早送り又は早戻し実行手段１２８へ制御信号や所定のデータ信号を出力する。システムコントローラ１２０は、リモコン式のものであってもよい。メモリ１２３は、システムコントローラ１２０の処理に使用されるデータをシステムコントローラ１２０が読出し自在に一時書込みされる。サーボ回路早送り又は早戻し実行手段１２８は、ＲＦアンプ１１６からのＲＦ信号及びシステムコントローラ１２０からの制御信号に基づき各種サーボ信号を生成し、それらをスピンドルモータ１０３、光ピックアップ１０５及びスレッドモータ１１１へ送出する。
【００１８】
図２は再生装置１０（図３），４０（図４）の処理の概略説明図である。図２（ａ）及び（ｄ）は再生装置１０の処理例であり、図２（ａ）、（ｂ）及び（ｃ）は再生装置４０の処理例である。再生装置１０，４０は、オーディオファイルについての処理に限定されず、ＡＶ、すなわちオーディオ及びビデオの両方の再生データが書き込まれているファイルについての処理も可能であるが、図２では、説明の便宜上、ファイルはオーディオ専用のファイルとする。複数個のオーディオファイルとしての複数個のトラック（ｔｒａｃｋ）が記録媒体に記録されている。記録媒体は、例えば、光ディスク１０１であり、ハードディスクやＩＣメモリ等のその他の記録媒体であってもよい。オーディオファイルとは、例えば、ＭＰ３、ＷＭＡ及びＡＡＣのファイルである。各ファイルには、トラック番号が付与され、図２では、トラック番号ｎ−１〜ｎ＋２のファイルが記載されている。オーディオファイルには、先頭位置以外の位置から再生開始（＝途中再生開始）が可能であるものと不可能なものとがある。図２では、トラック番号ｎ，ｎ＋１のファイルは途中再生開始が不可能であり、その他のトラック番号のファイルは途中再生開始が可能と仮定している。途中再生開始が不可能であるオーディオファイルとは、例えばシークテーブル無しのＡＡＣファイルである。これに対して、途中再生開始が可能であるオーディオファイルとは、例えばＭＰ３、ＷＭＡ及びシークテーブル付きのＡＡＣのファイルである。
【００１９】
（ａ）は、再生（ＰＬＡＹ）による各ファイルの通過を説明している。オーディオ途中再生開始の再生は、途中再生開始が可能及び不可能に関係なく、可能となっている。再生装置１０，４０は、従来の再生装置と同様に、オーディオファイルをトラック番号の昇順に、かつ各オーディオファイルにおいてはその先頭から末尾の方向へ、再生を進行させる。
【００２０】
（ｂ）は早送りによる各ファイルの通過を説明している。早送りは、オーディオファイルをトラック番号の昇順に、かつ各オーディオファイルにおいてはその先頭から末尾の方向へ進行する。途中再生開始が不可能なオーディオファイルは、ユーザがファイル途中において早送りを解除すると、無音又はデコードエラーによるハングアップの問題がある。再生装置４０は、途中再生開始が可能であるオーディオファイルについては、トラック番号の昇順に、かつ各オーディオファイルの先頭から末尾の方向へ、早送りを進行させる。これに対して、早送り中、途中再生開始が不可能であるオーディオファイルの先頭に到達すると、再生装置４０は、所定時間（例：３秒間）だけ、その先頭位置において再生一時休止状態を維持し、その後、次の、すなわちトラック番号が１個大きいオーディオファイルの先頭位置へジャンプする。次のオーディオファイルもまた、途中再生開始が不可能であるファイルの場合には、さらに、所定時間だけその先頭位置において停止状態を維持する。ユーザが、該所定時間の停止状態の間に、早送りを解除した場合には、該途中再生開始が不可能なオーディオファイルの先頭から再生開始する。
【００２１】
（ｃ）は早戻しによる各ファイルの通過を説明している。早戻しは、オーディオファイルをトラック番号の降順に、かつ各オーディオファイルの末尾から先頭の方向へ進行する。途中再生開始が不可能なオーディオファイルは、ユーザがファイル途中において早戻しを解除すると、無音又はデコードエラーによるハングアップの問題がある。再生装置４０は、途中再生開始が可能であるオーディオファイルについては、トラック番号の降順に、かつ各オーディオファイルの末尾から先頭の方向へ、早戻しを進行させる。これに対して、早戻し中、途中再生開始が不可能であるオーディオファイルに到達すると、再生装置４０は、所定時間（例：３秒間）だけ、該オーディオファイルの先頭位置において再生一時休止状態を維持し、その後、次の、すなわちトラック番号が１個小さいオーディオファイルへジャンプする。次のオーディオファイルもまた、途中再生開始が不可能であるファイルの場合には、さらに、該次のオーディオファイルの先頭位置において所定時間だけ再生一時休止状態を維持する。ユーザが、該所定時間の停止状態の間に、早戻しを解除した場合には、該途中再生開始が不可能なオーディオファイルの先頭から再生開始する。
【００２２】
（ｄ）は各オーディオファイルの再生中、ユーザが早送り又は早戻し要求（指示）を出したときの処理を説明している。○は、再生装置１０が、ユーザからの早送り又は早戻し指示に従い、早送り又は早戻しの処理を実施することを示している。×は、再生装置１０が、ユーザからの早送り又は早戻し指示を無視（無効）にすることを示している。再生装置１０は、途中再生開始が可能であるオーディオファイルの再生中に、ユーザからの早送り又は早戻し指示に従い早送り又は早戻しの処理を実施するのに対し、途中再生開始が不可能であるオーディオファイルの再生中に、ユーザからの早送り又は早戻し指示に対しては、その指示を無効にし、再生をそのまま続ける。
する。
【００２３】
図３は再生装置１０の機能ブロック図である。再生装置１０は、再生手段１１、早送り又は早戻し実行手段１２、指示検出手段１３、途中再生開始可能判定手段１４、有効時制御手段１５及び無効時制御手段１６を有している。再生手段１１は、再生対象ファイルを再生する。早送り又は早戻し実行手段１２は、現在再生中の再生対象ファイルに対して早送り又は早戻しを実行する。指示検出手段１３は、再生手段１１による再生対象ファイルの再生中、ユーザからの早送り又は早戻しの指示を検出する。途中再生開始可能判定手段１４は、再生手段１１において現在再生中の再生対象ファイルが途中再生開始可能なものであるか否かの途中再生開始可能判定を行なう。有効時制御手段１５は、途中再生開始可能判定が正であれば、ユーザからの早送り又は早戻しの指示を有効なものとして早送り又は早戻し実行手段１２を作動させる。無効時制御手段１６は、途中再生開始可能判定が否であれば、ユーザからの早送り又は早戻しの指示を無効なものとして再生手段１１による再生対象ファイルの再生を継続する。
【００２４】
前述の図２（ｄ）は、該再生装置１０における処理の一例である。図２の説明では、再生するファイルがオーディオファイルである場合について説明したが、該再生装置１０における処理対象のファイルは、オーディオファイルに限定されず、オーディオとビデオとの両方のデータが含まれるファイルや、ビデオ専用のファイルも含むことができる。
【００２５】
途中再生開始不可能のファイルに対して再生対象ファイルを実行すると、再生対象ファイルの指示を解除したときに、ファイルを途中位置から再生開始できず、再生装置は、無音状態になったり、デコードエラーに因りフリーズを起こしたりする場合があるが、該再生装置１０は、ユーザからの早送り又は早戻しを無効にするので、このような問題を克服できる。
【００２６】
再生装置１０の具体的態様では、再生装置１０は、さらに、特定処理実行手段２０及び指示継続時間判定手段２１を有している。特定処理実行手段２０は、現在再生中の再生対象ファイルに対して早送り又は早戻し実行手段１２の処理とは別の特定処理を実行する。指示継続時間判定手段２１は、ユーザからの早送り又は早戻しの指示の継続時間が所定値以上となったか否かの指示継続判定を行なう。無効時制御手段１６は、ユーザからの早送り又は早戻しの指示を無効なものとした後、指示継続判定が正となれば、特定処理実行手段２０を作動させる。
【００２７】
特定処理実行手段２０において行なわれる特定処理とは、例えば、早送り指示の場合には、昇順方向へトラック番号が次のファイルへのトラックジャンプであり、早戻し指示の場合には、降順方向へトラック番号が次のファイルへのトラックジャンプである。
【００２８】
再生装置１０は、さらに、通知手段２３を装備することもできる。通知手段２３は、途中再生開始可能判定が否となっていることをユーザに通知するものである。通知には、所定のディスプレイにおける視覚的な通知だけでなく、スピーカからの聴覚的な通知も含むものとする。
【００２９】
通知手段２３が行なう通知の具体的態様は次のとおりである。
（ａ）現在通常再生中のタイムコードを点滅させる。再生装置１０の表示能力が少ない場合に、有効である。
（ｂ）再生装置１０のディスプレイのファイル名やフォルダ名を点滅させる。
（ｃ）再生装置１０のディスプレイ早送り早戻し不可能ファイルである旨をテキストで表示する。
（ｄ）上記（ａ）〜（ｃ）を複合的に実施する。
【００３０】
途中再生開始再生中の途中再生開始不可能ファイルに対する早送り又は早戻しについて、その無効処理等について説明しているが、再生装置１０は、再生中の途中再生開始不可能ファイルに対する一時休止処理も、途中再生開始再生中の途中再生開始不可能ファイルに対する早送り又は早戻しと同様に処理してもよいことは言うまでもない。
【００３１】
図４は再生装置４０の機能ブロック図である。再生装置４０は、指示検出手段４１、早送り又は早戻し実行手段４２、途中再生開始可能判定手段４３、有効時制御手段４４及び無効時処理手段４５を有している。指示検出手段４１は、ユーザからの早送り又は早戻しの指示を検出する。早送り又は早戻し実行手段４２は、ユーザからの早送り又は早戻しの指示に基づき途中再生開始可能なファイルに対して早送り又は早戻しを実行する。途中再生開始可能判定手段４３は、早送り又は早戻し実行手段４２による早送り又は早戻しの実行中、早送り又は早戻しを実行するファイルが切替わると、切替わり後のファイルが途中再生開始可能なものであるかの途中再生開始可能判定を行なう。有効時制御手段４４は、途中再生開始可能判定が正であれば、ユーザからの早送り又は早戻しの指示を有効なものとして、切替わり後のファイルに対して早送り又は早戻し実行手段４２による早送り又は早戻しを継続させる。無効時処理手段４５は、途中再生開始可能判定が否であれば、ユーザからの早送り又は早戻しの指示を無効なものとして、切替わり後の再生対象ファイルに対して早送り又は早戻し処理とは異なる特定の処理を行なう。
【００３２】
前述の図２（ｂ）及び（ｃ）は、該再生装置４０における処理の一例である。図２の説明では、再生するファイルがオーディオファイルである場合について説明したが、該再生装置４０における処理対象のファイルは、オーディオファイルに限定されず、オーディオとビデオとの両方のデータが含まれるファイルや、ビデオ専用のファイルも含むことができる。早送り又は早戻しは、途中再生開始可能ファイルが再生中又は一時休止中に、ユーザから早送り又は早戻しが指示された時に、開始される。
【００３３】
途中再生開始不可能のファイルに対して再生対象ファイルを実行すると、再生対象ファイルの指示を解除したときに、ファイルを途中位置から再生開始できず、再生装置は、無音状態になったり、デコードエラーに因りハングアップを起こしたりする場合がある。該再生装置４０では、早送り又は早戻しの指示受付け時の再生対象ファイルが途中再生開始可能であるために、再生対象ファイルが早送り又は早戻し実行手段４２により有効に実施された後、早送り又は早戻しの進行に従い、途中再生開始不可能なファイルへ到達すると、早送り又は早戻し処理が中断される。これにより、再生装置４０は、上記問題を克服する。
【００３４】
再生装置４０のさらなる具体的態様について説明する。無効時処理手段４５における特定の処理とは、例えば、（ａ）切替わり後のファイルの先頭位置（早戻しにおいても途中再生開始不可能ファイルの末尾位置ではなく、先頭位置とすることに注意されたい。）で再生一時休止状態を維持する処理、及び（ｂ）ファイルの先頭から再生する処理である。（ａ）を採用した再生装置４０において、無効時処理手段４５は、切替わり後のファイルの先頭位置で再生一時休止状態を維持しているときに、ユーザからの早送り又は早戻しの指示が解除されると、該ファイルを先頭位置から再生開始する。所定時間とは例えば３秒である。これにより、再生装置４０では、途中再生開始可能なファイルから早送り又は早戻しを開始し、早送り又は早戻しの位置が途中再生開始不可能なファイルに到達したときに、該ファイルを支障なく、再生開始できる。
【００３５】
再生装置４０は、さらに、経過時間判定手段５０を有している。経過時間判定手段５０は、途中再生開始不可能ファイルの先頭位置で早送り又は早戻しを停止開始した時刻からの経過時間が所定値以上であるか否かの経過時間判定を行なう。無効時処理手段４５は、経過時間判定が正となった時にユーザからの早送り又は早戻しの指示がなお継続しているならば、ファイルに対して特定処理とはさらに別の特定処理を行なう。別の特定処理とは、例えば、早送り指示の場合には、昇順方向へトラック番号が次のファイルへのトラックジャンプであり、早戻し指示の場合には、降順方向へトラック番号が次のファイルへのトラックジャンプである。無効時処理手段４５は、また、経過時間判定が否であるときに、ユーザからの早送り又は早戻しの指示が解除されると、ファイルをその先頭から再生開始する。
【００３６】
再生装置４０は、途中再生開始可能判定が否となっていることをユーザに通知する通知手段５２を有していてもよい。通知には、所定のディスプレイにおける視覚的な通知だけでなく、スピーカからの聴覚的な通知も含むものとする。
【００３７】
通知手段５２が行なう通知の具体的態様は次のとおりである。
（ａ）タイムコードを０：００のまま固定する。再生装置４０の表示能力が少ない場合に、有効である。
（ｂ）タイムコードを０：００のまま固定するとともに、該０：００を点滅させる。これも、再生装置４０の表示能力が少ない場合に、有効である。
（ｃ）再生装置４０のディスプレイのファイル名やフォルダ名を点滅させる。。
（ｄ）再生装置４０のディスプレイ早送り早戻し不可能ファイルである旨をテキストで表示する。
（ｅ）上記（ａ）〜（ｄ）を複合的に実施する。
【００３８】
図５は再生装置用制御方法６０のフローチャートである。再生装置用制御方法６０は再生装置１０に対応している。指示検出ステップＳ６２では、再生対象ファイルの再生中（Ｓ６１の判定が正）、ユーザからの早送り又は早戻しの指示を検出しだい、Ｓ６３へ進む。途中再生開始可能判定ステップＳ６４では、現在再生中の再生対象ファイルが途中再生開始可能なものであるか否かの途中再生開始可能判定を行ない、判定が正であれば、Ｓ６４へ進み、否であれば、Ｓ６５へ進む。有効時制御ステップＳ６４では、途中再生開始可能判定が正であれば、ユーザからの早送り又は早戻しの指示を有効なものとして、現在再生中の再生対象ファイルに対して早送り又は早戻しを実行する。無効時制御ステップＳ６５では、途中再生開始可能判定が否であれば、ユーザからの早送り又は早戻しの指示を無効なものとして、現在再生中の再生対象ファイルに対しての再生を継続する。
【００３９】
Ｓ６４の変形例では、ユーザからの早送り又は早戻しの指示の継続時間が所定値以上となったか否かの指示継続判定を行ない、ユーザからの早送り又は早戻しの指示を無効なものとした後、指示継続判定が正となるや、現在再生中の再生対象ファイルに対して早送り又は早戻し実行手段の処理とは別の特定処理を実行することも可能である。特定処理とは、再生装置１０の場合と同一である。
【００４０】
図６は再生装置用制御方法７５のフローチャートである。再生装置用制御方法７５は再生装置４０に対応している。Ｓ７６では、現在が、途中再生開始ファイルの再生中又は一時休止中かを判定し、判定が正であるは、Ｓ７７へ進み、否であれば、再生装置用制御方法７５を終了する。Ｓ７７では、ユーザからの早送り又は早戻しの指示を検出したか否かを判定し、判定が正になりしだい、Ｓ７８へ進む。早送り又は早戻し実行ステップＳ７８では、ユーザからの早送り又は早戻しの指示に基づき途中再生開始可能なファイルに対して早送り又は早戻しを実行する。その後、早送り又は早戻しを実行するファイルが切替わると（Ｓ７９の判定が正）、途中再生開始可能判定ステップＳ８１では、切替わり後のファイルが途中再生開始可能なものであるかの途中再生開始可能判定を行なう。なお、Ｓ８１の前に、Ｓ８０を実行し、切替わり後のファイルが存在しなければ、すなわち、早送りにおいて、切替わり前のファイルが末尾のトラック番号のファイルであったり、又は、早戻しにおいて、切替わり前のファイルが先頭のトラック番号のファイルであったりして、これ以上の早送り又は早戻しの進行が゛困難である場合には、Ｓ８１へ進むことなく、再生装置用制御方法７５を終了する。Ｓ８１の判定が正であるときは、Ｓ７８へ戻り、ユーザからの早送り又は早戻しの指示を有効なものとして、切替わり後のファイルに対して早送り又は早戻し実行ステップにおける早送り又は早戻しを継続させる。Ｓ８１の判定が否であれば、無効時処理ステップＳ８２へ進み、Ｓ８２において、ユーザからの早送り又は早戻しの指示を無効なものとして、切替わり後の再生対象ファイルに対して早送り又は早戻し処理とは異なる特定の処理を行なう。
【００４１】
Ｓ８２における特定の処理としては、例えば、切替わり後のファイルの先頭位置で再生一時休止状態を維持することである。また、該特定処理の実行中、ユーザからの早送り又は早戻しの指示が解除されると、該ファイルを先頭位置から再生開始するようにしてもよい。さらに、途中再生開始不可能ファイルの先頭位置で早送り又は早戻しを停止開始した時刻からの経過時間が所定値以上であるか否かの経過時間判定を行ない、経過時間判定が正となった時にユーザからの早送り又は早戻しの指示がなお継続しているならば、ファイルに対して特定処理とはさらに別の特定処理を行なってもよい。さらに別の特定処理の具体的内容は再生装置４０のさらに別の特定処理の具体的内容と同一である。また、経過時間判定が否であるときに、ユーザからの早送り又は早戻しの指示が解除されると、ファイルをその先頭から再生開始するのが好ましい。
【００４２】
本発明が適用されるプログラムは再生装置１０又は再生装置４０の各手段としてコンピュータを機能させる。あるいは、本発明が適用されるプログラムは再生装置用制御方法６０又は再生装置用制御方法７５の各ステップをコンピュータに実行させる。
【図面の簡単な説明】
【００４３】
【図１】光ディスク再生装置の主要部概略構成図である。
【図２】再生装置の処理の概略説明図である。
【図３】再生装置の機能ブロック図である。
【図４】別の再生装置の機能ブロック図である。
【図５】再生装置用制御方法のフローチャートである。
【図６】別の再生装置用制御方法のフローチャートである。
【符号の説明】
【００４４】
１０：再生装置、１１：再生手段、１２：早送り又は早戻し実行手段、１３：指示検出手段、１４：途中再生開始可能判定手段、１５：有効時制御手段、１６：無効時制御手段、２０：特定処理実行手段、２１：指示継続時間判定手段、２３：通知手段、４０：再生装置、４１：指示検出手段、４２：早送り又は早戻し実行手段、４３：途中再生開始可能判定手段、４４：有効時制御手段、４５：無効時処理手段、５０：経過時間判定手段、５２：通知手段、６０：再生装置用制御方法、７５：再生装置用制御方法。
【図１】
2006185520.tif 000003
【図２】
2006185520.tif 000004
【図３】
2006185520.tif 000005
【図４】
2006185520.tif 000006
【図５】
2006185520.tif 000007
【図６】
2006185520.tif 000008